(57)【要約】【課題】エアコンと開閉センサーを用いてエネルギーの無駄なく効率的に運転を行うこと。【解決手段】本発明のエアコン制御システムは、宅外にいるユーザーが携帯端末装置４などを用いて、エアコン１の運転操作指示時に、ドアや窓２が開いている場合には宅外ユーザーに、エアコン運転操作は無駄な電力を消費するので無効だということを報知手段１７によって報知させ、一方、エアコンの運転操作指示時に、ドアや窓２が閉まっている場合には、その指示通りにエアコン１の運転を行うことを可能とする。【選択図】図１
2005273937.tif 000002
【特許請求の範囲】
【請求項１】
エアコンと、ドアや窓に取り付けられた開閉センサーとから構成されたエアコン制御システムであって、前記開閉センサーは、ドアや窓の開閉を判断する判断手段と、前記判断手段から得られた情報を前記エアコンへ伝えるための通信手段とを備え、前記エアコンは、通信手段を介して前記開閉センサーから得られた情報によってエアコンを動作させるかさせないかを制御する制御手段と、前記制御手段によりエアコンを運転させない場合にはそれを報知する報知手段とを備えたエアコン制御システム。
【請求項２】
エアコンと、ドアや窓に取り付けられた開閉センサーとから構成されたエアコン制御方法であって、前記エアコンを運転させるための操作手順と、前記開閉センサーによりドアや窓の開閉を判断する判断手順と、前記判断手順から得られた情報を前記エアコンへ伝えるための通信手順と、前記エアコンに前記開閉センサーから得られた情報によって動作させるかさせないかを制御する制御手順と、前記制御手順によりエアコンを運転させない場合にはそれを報知する報知手順とを備えたエアコン制御方法。
【請求項３】
請求項１に記載のエアコン制御システムの機能の少なくとも一部をコンピューターに実行させるためのプログラム。
【発明の詳細な説明】
【技術分野】
【０００１】
本発明は、開閉センサーとネットワーク接続されたエアコン制御システム、エアコン制御方法、及びプログラムに関するものである。
【背景技術】
【０００２】
従来、この種の端末装置としては、エアコンなどのつけっぱなしの事態が発生してしまった場合に、携帯端末はエアコンを消すような制御信号を送信し、セキュリティシステムに送られ、セキュリティシステムから電力制御手段に送り、ブレーカを落としたりするものや、外出先で自宅の鍵を閉め忘れた、もしくは閉めたかどうか覚えがなく不安になった場合には、外出先で自宅の施錠状態を確認して、鍵を閉めるといった操作までが可能となるシステム（特許文献１）が考案されていた。
【０００３】
この他には、エアコンの温度管理情報の取得、及びエアコンのタイマ予約機能を制御していることを特徴とする制御装置や電話機や、扉及びドア及び窓に取り付けられた鍵を制御する鍵制御装置を制御しており、施錠されているのかどうかの情報を取得する機能、及び施錠されていなかった場合を前提として、施錠する機能を搭載したことを特徴とする制御装置や電話機などの遠隔制御システム（特許文献２）などが考案されている。
【特許文献１】特開２００２−１５７６６５号公報
【特許文献２】特開２００２−５８０７７号公報
【発明の開示】
【発明が解決しようとする課題】
【０００４】
しかしながら、従来の端末装置には次のような問題があった。前述したようにエアコンの制御システムと、ドアや窓の施錠・解錠などの遠隔制御システムは別々に動作しており、エアコンを外部から電源を投入した場合には、ドアや窓が開いていても関係なく運転を行っており、電気の無駄な消費が大きかった。特にインバーターエアコンなどでは、冬場の寒い時期にはその温度を感知して、窓が開いている場合でも関係なく一定温度に上がるまで暖めようとしたり、逆に夏場の暑い時期にはその温度を感知して、窓が開いている場合でも関係なく一定温度に下がるまで冷やそうとしたりするため余計に電力を消費する可能性があった。
【０００５】
本発明は、従来の課題を解決するもので、宅外にいるユーザーが携帯端末などを用いて、エアコンの運転操作指示時に、エアコンは無線通信を用いて、ドアや窓の開閉状態を確認しにいき、ドアや窓が開いている場合には宅外ユーザーへエアコン運転操作は無駄な電力を消費するので無効だということを報知する。一方、ドアや窓が閉まっている場合には、その指示通りにエアコンの運転を行うことを可能とするエアコン制御システムを提供することを目的とする。これによって、例えば、宅外から携帯端末を用いて部屋を暖めたはずなのに帰宅時に冬場は暖まっていなかったり、逆に宅外から携帯端末を用いて部屋を冷やしたはずなのに帰宅時に夏場は冷えていなかったりして、無駄な電力を消費することを避け、効率な運転制御を行うことが可能となる。
【課題を解決するための手段】
【０００６】
従来の課題を解決するために、本発明の端末装置は、エアコンと、ドアや窓に取り付けられた開閉センサーとから構成されたエアコン制御システムであって、前記開閉センサーは、ドアや窓の開閉を判断する判断手段と、前記判断手段から得られた情報を前記エアコンへ伝えるための通信手段を備え、前記エアコンは、通信手段を介して前記開閉センサーから得られた情報によってエアコンを動作させるかさせないかを制御する制御手段と、前記制御手段によりエアコンを運転させない場合にはそれを報知する報知手段とを備えたエアコン制御システムである。
【０００７】
これによって、宅外にいるユーザーが携帯端末などを用いて、エアコンの運転操作指示時に、ドアや窓が開いている場合には宅外ユーザーに、エアコン運転操作は無駄な電力を消費するので無効だということを報知させ、一方、エアコンの運転操作指示時に、ドアや窓が閉まっている場合には、その指示通りにエアコンの運転を行うことを可能とする。
【発明の効果】
【０００８】
本発明の端末装置は、エアコンと、ドアや窓に取り付けられた開閉センサーとから構成されたエアコン制御システムであって、前記開閉センサーは、ドアや窓の開閉を判断する判断手段と、前記判断手段から得られた情報を前記エアコンへ伝えるための通信手段を備え、前記エアコンは、通信手段を介して前記開閉センサーから得られた情報によってエアコンを動作させるかさせないかを制御する制御手段と、前記制御手段によりエアコンを運転させない場合にはそれを報知する報知手段とを備えたエアコン制御システムである。
【０００９】
これによって、冬場において、宅外から携帯端末を用いて部屋を暖めたはずなのに、帰宅時に暖まっていなかったり、一方、夏場において、宅外から携帯端末を用いて部屋を冷やしたはずなのに、帰宅時に冷えていなかったりして、無駄な電力を消費することを避け、効率な運転制御を行うという効果が得られる。
【発明を実施するための最良の形態】
【００１０】
第１の発明は、エアコンと、ドアや窓に取り付けられた開閉センサーとから構成されたエアコン制御システムであって、前記開閉センサーは、ドアや窓の開閉を判断する判断手段と、前記判断手段から得られた情報を前記エアコンへ伝えるための通信手段を備え、前記エアコンは、通信手段を介して前記開閉センサーから得られた情報によってエアコンを動作させるかさせないかを制御する制御手段と、前記制御手段によりエアコンを運転させない場合にはそれを報知する報知手段とを備えたエアコン制御システムを構成したものである。
【００１１】
そして、宅外にいるユーザーが携帯端末などを用いて、エアコンの運転操作指示時に、ドアや窓が開いている場合には宅外ユーザーに、エアコン運転操作は無駄な電力を消費するので無効だということを報知させ、一方、エアコンの運転操作指示時に、ドアや窓が閉まっている場合には、その指示通りにエアコンの運転を行う。これによって、宅外から携帯端末を用いて部屋を暖めたはずなのに、帰宅時に冬場は暖まっていなかったり、夏場は冷えていなかったりして、無駄な電力を消費することを避け、効率な運転制御を行うというエアコン制御システムを提供することができる。
【００１２】
第２の発明は、エアコンと、ドアや窓に取り付けられた開閉センサーとから構成されたエアコン制御方法であって、前記エアコンを運転させるための操作手順と、前記開閉センサーによりドアや窓の開閉を判断する判断手順と、前記判断手順から得られた情報を前記エアコンへ伝えるための通信手順と、前記エアコンに前記開閉センサーから得られた情報によって動作させるかさせないかを制御する制御手順と、前記制御手順によりエアコンを運転させない場合にはそれを報知する報知手順とを備えたエアコン制御方法を構成したものである。
【００１３】
そして、第１の発明と同様に、宅外にいるユーザーが携帯端末などを用いて、エアコンの運転操作指示時に、ドアや窓が開いている場合には宅外ユーザーに、エアコン運転操作は無駄な電力を消費するので無効だということを報知させ、一方、エアコンの運転操作指示時に、ドアや窓が閉まっている場合には、その指示通りにエアコンの運転を行う。これによって、宅外から携帯端末を用いて部屋を暖めたはずなのに、帰宅時に冬場は暖まっていなかったり、夏場は冷えていなかったりして、無駄な電力を消費することを避け、効率な運転制御を行うというエアコン制御方法を構築することができる。
【００１４】
本実施の形態の第３の発明は、第１の発明に記載の機能の少なくとも一部をコンピューターで実行させるプログラムであるのでＣＰＵ（マイコン）、ＲＡＭ、ＲＯＭ、記憶装置、Ｉ／Ｏなどを備えた電気情報機器、コンピューター、サーバー等のハードリソースを協働させて、本発明のエアコン制御システムの少なくとも一部を容易に実現することができる。また記録媒体に記録したり通信回線を用いてプログラムを配信したりすることでプログラムの配布やインストール作業が簡単にできる。
【００１５】
以下、本発明の実施の形態について、図面を参照しながら説明する。尚、本実施の形態によって本発明が限定されるものではない。
【００１６】
（実施の形態１）
実施の形態１における図において、図１は構成ブロック図、図２はフローチャート、図３はエアコン１への通知方法の例を示す図である。
【００１７】
図１はエアコンの構成ブロック図である。図１において、１はエアコン、２はドアや窓、３は開閉センサー、４は携帯端末装置、５は操作手段、６は判断手段、７は通信手段、８は通信手段、９は感知手段、１０は判断手段、１１は制御手段、１２は報知手段、１３は動作手段である。
【００１８】
まず、宅内にいるユーザーがエアコン１の運転を行うために、リモコンや本体を用いて運転操作トリガーをかける（図２のＳ０１）。エアコン１にある操作手段５は本体であったり、リモコン操作部にあってもよく、要するに運転を行う操作盤のことである。
【００１９】
この操作手段５より冷房や暖房の運転を行うことを判断手段６へ指示する（図２のＳ０２）。操作手段５により運転操作が指示されたと判断したこの判断手段６は、ドアや窓２が開いていないかを確認するためにドアや窓２に搭載されている開閉センサー３へ問い合わせるために、通信手段７へ伝達する（図２のＳ０３）。ドアや窓２へ開閉情報を確かめるための確認情報取得の指示をされた通信手段７は無線通信などを用いて、ドアや窓２に備え付けられている開閉センサー３の通信手段８へ送信（図２のＳ０４）を行う。ここでいう、無線通信とは、無線ＬＡＮ・特定小電力無線・Ｂｌｕｅｔｏｏｔｈ（Ｒ）・赤外線などの機器間の通信を行うものが考えられる。
【００２０】
ドアや窓２に内蔵または備え付けられた開閉センサー３の通信手段８から、ドアや窓２が開いているか否かを感知する感知手段９にて感知（図２のＳ０５）が行われた後、図２のフローチャートＳ０６の様に、ドアや窓２が開いているかどうかの判断が行われる。感知手段９での感知後、判断手段１０にてドアや窓２が開いていると判断した場合には、その情報が通信手段８へ伝達（図２のＳ０７）される。
【００２１】
通信手段８はエアコン１の通信手段７へ再び無線通信を用いて行われる（図２のＳ０８）。通信手段７はドアや窓２内の開閉センサー３の通信手段８からのドアや窓２が開いているという情報を制御手段１１へ伝達（図２のＳ０９）する。制御手段１１では、ドアや窓２が開いているという情報を報知手段１２へ伝達（図２のＳ１０）する役目を担っており、具体的な報知手段１２を用いた報知方法としては、ドアや窓２の開いているという情報を文字や音声などのユーザーが認識できる媒体にし、その内容としては、図３のように「ドアや窓が開いているため、エアコンを運転させても効率が悪い」というような趣旨のことを報知（図２のＳ１１）する。
【００２２】
一方、図２のＳ０６のドアや窓２が開いているかどうかの判断が行われた後、判断手段１０にてドアや窓２が閉まっていると判断した場合には、その情報が通信手段８へ伝達（図２のＳ１２）される。通信手段８はエアコン１の通信手段７へ伝え（図２のＳ１３）、その通信手段７は制御手段１１へドアや窓２が閉まっているという情報を伝達（図２のＳ１４）する。その後、制御手段１１はドアや窓２が閉まっているという情報を認識し、エアコン１の動作を行うよう動作手段１３へ指示（図２のＳ１５）。ここで、ドアや窓２が閉まっている場合にはそのまま動作を行うと前述したが、報知手段１２を用いて、ドアや窓２が閉まっているという情報を文字や音声などを用いて「ドアや窓２が閉まっているので、指示通り運転を行います。」というような趣旨のことを報知してもよい。
【００２３】
以上から動作をまとめると、宅内のユーザーが、エアコン１の本体またはリモコンでの運転操作指示時に、ドアや窓２が開いている場合には、エアコン運転操作は無駄な電力を消費するので無効だということを報知させ、一方、エアコンの運転操作指示時に、ドアや窓が閉まっている場合には、その指示通りにエアコンの運転を行うことによって、無駄な電力を消費することを避け、効率な運転制御を行うという効果が得られる。
【００２４】
またこれらの応用として考えられることとしては、暖かい空気は上に行き、冷たい空気は下に行くという性質を利用して、低いところに窓がある部屋にてエアコンの運転操作指示を行う場合には、暖房の暖かい空気の場合には温かい空気は上に行くので、低いところの窓が開いていても報知しないということや、高いところに窓がある部屋にてエアコンの運転操作指示を行う場合には、冷房の冷たい空気の場合には冷たい空気は下に行くので、高いところの窓が開いていても報知しないというエアコン制御システムを提供することも可能である。これら窓が低い／高いという判断はあらかじめエアコンに窓の位置情報を登録するなどして行う。
【００２５】
なお、本実施の形態１では、判断手段１０をドアや窓２側に備えたが、エアコン１側に判断手段を備えて、通信手段８で通信した情報を基に判断してもよい。
【００２６】
（実施の形態２）
実施の形態２における図において、図４は構成ブロック図、図５はフローチャート図、図６は携帯端末装置４への通知方法の例を示す図である。
【００２７】
図４は携帯端末装置４も含めたエアコンの構成ブロック図である。図４において、携帯端末装置４内の１４は操作手段、１５は制御手段、１６は通信手段、１７は報知手段であり、その他は実施の携帯１の図１と同様である。
【００２８】
まず、宅外にいるユーザーがエアコン１の運転を行うために、外出先の携帯端末装置４からエアコン１の運転の操作を行うよう指示し、電話回線やインターネット回線を用いて、宅内のエアコン１へ送信（図５のＳ１６）を行う。
【００２９】
以下、図５のＳ１７〜２３は図２のＳ０２〜Ｓ０８と同じなので詳細な説明を省く。通信手段７では、ドアや窓２が開いているという情報を携帯端末装置４の通信手段１６へ電話回線やインターネット回線を用いて報知手段１７へ伝達（図５のＳ２４）し報知する役目を担っており、報知手段１７を用いた報知方法としては、ドアや窓２の開いているという情報を携帯端末装置４へ文字などで行う。その内容としては、図６の例のように「ドアや窓が開いているため、エアコンを運転させても効率が悪い」というような趣旨のことを報知する。
【００３０】
次に、報知手段１７によって情報を得たユーザーは操作手段１４によってエアコン１の運転をさせないことを制御手段１５へ指示（図５のＳ２５）する。制御手段１５は通信手段１６を用いてエアコン１の通信手段７へ情報を送信（図５のＳ２６）し、通信手段７は制御手段１１へ伝達した後、動作手段１３へ動作を行わないように指示（図５のＳ２７）する。
【００３１】
一方、判断手段１０にてドアや窓２が閉まっていると判断した場合、通信手段８へその情報を伝達（図５のＳ２８）し、通信手段８はエアコン１の通信手段７へ伝える（図５のＳ２９）。通信手段７は携帯端末装置４の通信手段１６を使って報知手段１７へエアコンの運転を行うことを報知（図５のＳ３０）する一方で、通信手段７は制御手段１１へドアや窓２が閉まっているという情報を伝達（図５のＳ３１）する。制御手段１１はドアや窓２が閉まっているという情報を認識し、エアコン１の動作を行うよう動作手段１３へ指示（図５のＳ３２）する。
【００３２】
以上から動作をまとめると、宅外のユーザーが、携帯端末装置４から電話回線やインターネット回線を用いて、エアコンの通信手段７を使っての運転操作指示時に、ドアや窓２が開いている場合には、エアコン運転操作は無駄な電力を消費するので無効だということを携帯端末装置４へ報知させ、一方、エアコンの運転操作指示時に、ドアや窓が閉まっている場合には、その指示通りにエアコンの運転を行うことによって、無駄な電力を消費することを避け、効率な運転制御を行うという効果が得られる。
【００３３】
また、これらの応用として考えられることとしては、実施の形態１と同様に、暖かい空気は上に行き、冷たい空気は下に行くという性質を利用して、低いところに窓がある部屋にてエアコンの運転操作指示を行う場合には、暖房の暖かい空気の場合には温かい空気は上に行くので、低いところの窓が開いていても報知しないということや、高いところに窓がある部屋にてエアコンの運転操作指示を行う場合には、冷房の冷たい空気の場合には冷たい空気は下に行くので、高いところの窓が開いていても報知しないというエアコン制御システムを提供することも可能である。これら窓が低い／高いという判断はあらかじめエアコンに窓の位置情報を登録するなどして行う。
【００３４】
尚、本実施の形態で説明した手段も、実施の形態１と同様、ＣＰＵ（またはマイコン）、ＲＡＭ、ＲＯＭ、記憶・記録装置、Ｉ／Ｏなどを備えた電気・情報機器、コンピューター、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【００３５】
なお、本発明はエアコンの他に、空気清浄機や加湿器などの空調機器、ファンヒータなどの暖房機器であってもよい。
【産業上の利用可能性】
【００３６】
以上のように、本発明にかかるエアコンとドアや窓に内蔵、または備え付けられた開閉センサーとネットワーク接続されたエアコン制御システムは、宅外にいるユーザーが携帯端末などを用いて、エアコンの運転操作指示時に、ドアや窓が開いている場合には、宅外ユーザーにエアコン運転操作は無駄な電力を消費するので無効だということを報知させ、一方、エアコンの運転操作指示時に、ドアや窓が閉まっている場合には、その指示通りにエアコンの運転を行うことによって、宅外から携帯端末を用いて部屋を暖めたはずなのに、帰宅時に冬場は暖まっていなかったり、夏場は冷えていなかったりして、無駄な電力を消費することを避け、効率な運転制御を行うという用途などに適用できる。
【図面の簡単な説明】
【００３７】
【図１】実施の形態１におけるエアコン制御システムの構成ブロック図
【図２】実施の形態１におけるエアコン制御システムのフローチャート
【図３】実施の形態１におけるエアコン１への通知方法の例の図
【図４】実施の形態２におけるエアコン制御システムの構成ブロック図
【図５】実施の形態２におけるエアコン制御システムのフローチャート
【図６】実施の形態２における携帯情報端末装置４への通知方法の例の図
【符号の説明】
【００３８】
１  エアコン
２  ドアや窓
３  開閉センサー
４  携帯端末装置
５  操作手段
６  判断手段
７、８  通信手段
９  感知手段
１０  判断手段
１１  制御手段
１２  報知手段
１３  動作手段
１４  操作手段
１５  制御手段
１６  通信手段
１７  報知手段
【図１】
2005273937.tif 000003
【図２】
2005273937.tif 000004
【図３】
2005273937.tif 000005
【図４】
2005273937.tif 000006
【図５】
2005273937.tif 000007
【図６】
2005273937.tif 000008